(57)【要約】【課題】小型の商品と長尺物とを効率よく収納して確実に保護することができ、商品イメージを高められるようにする。【解決手段】底壁１から起立する側壁２の上端に保持材５を連設し、この保持材５に、幅方向の中折線１１を入れ、保持材５の中折線１１に臨む部分を先端側へ切り抜いて、商品挿入口１２を形成し、保持材５の中折線１１より基端側を載置板１３とすると共に、先端側を抑制板１４とし、載置板１３を側壁２との境界から斜め下方へ折り曲げ、抑制板１４を中折線１１に沿って上方へ折り返し、載置板１３に載せて商品挿入口１２に挿入した商品Ｄ１，Ｄ２を、抑制板１４により上方から抑えて保持するようにし、保持材５の下方にもポスターＰ等の収納空間を確保する。【選択図】図２
2011025965.tif 000002
【特許請求の範囲】
【請求項１】
底壁(1)から起立する側壁(2)の上端に保持材(5)を連設し、この保持材(5)に、幅方向の中折線(11)を入れ、保持材(5)の中折線(11)に臨む部分を先端側へ切り抜いて、商品挿入口(12)を形成し、保持材(5)の中折線(11)より基端側を載置板(13)とすると共に、先端側を抑制板(14)とし、載置板(13)を側壁(2)との境界から斜め下方へ折り曲げ、抑制板(14)を中折線(11)に沿って上方へ折り返し、載置板(13)に載せて商品挿入口(12)に挿入した商品を、抑制板(14)により上方から抑えて保持するようにし、保持材(5)の下方にも収納空間を確保した包装箱。
【請求項２】
前記保持材(5)に、中折線(11)より先端側に位置して中折線(11)に並行する先折線(15)を入れ、抑制板(14)の先折線(15)より先端側を切替板部(16)とし、切替板部(16)から商品挿入口(12)に向けて側止片(17)を突設し、切替板部(16)を先折線(15)に沿って折り曲げた状態では、側止片(17)が逃がされて商品挿入口(12)が広幅状態となり、切替板部(16)を折り曲げない状態では、側止片(17)で規制されて商品挿入口(12)が狭幅状態となるようにしたことを特徴とする請求項１に記載の包装箱。
【請求項３】
前記保持材(5)に、商品挿入口(12)を横に並べて複数設けると共に、抑制板(14)の切替板部(16)を、商品挿入口(12)に対応して、切目を介し複数設けたことを特徴とする請求項２に記載の包装箱。
【請求項４】
前記保持材(5)に、載置板(13)から抑制板(14)への切込により、抑制板(14)の折り返しに伴い、載置板(13)から商品挿入口(12)の下方へ突出する支持片(19)を設けたことを特徴とする請求項１乃至３のいずれかに記載の包装箱。
【発明の詳細な説明】
【技術分野】
【０００１】
この発明は、ディスク媒体等の小型商品を、ポスター等の長尺物と同梱するのに適した包装箱に関するものである。
【背景技術】
【０００２】
一般に、インターネットを介して注文された音楽、映画、ゲーム等を記録するＣＤ、ＤＶＤ等のディスク媒体は、顧客に配送する際、下記特許文献１に記載されたように、ディスク媒体のパッケージが嵌合する保持材を備えた包装箱に収納される。この包装箱は、単一のディスク媒体にのみ対応する大きさ及び形状となっている。
【０００３】
また、図９に示すように、ディスク媒体のパッケージである商品Ｄと共に、キャンペーン等で付録するポスターＰを配送する際には、長面及び幅面の側壁５１，５２の下端及び上端にフラップ５３，５４を連設した段ボール製の細長い包装箱を使用する。
【０００４】
この包装箱により商品Ｄ及びポスターＰを包装するには、各一対の側壁５１，５２を角筒状にして周壁を形成した後、底面のフラップ５４及び５３を順次内側へ折り曲げ、フラップ５３の突合部に封緘テープを貼り付ける。
【０００５】
そして、商品Ｄを保護するため、気泡緩衝シートＳで包み込んで箱内に収納し、これを箱内で動かないように粘着テープで箱の内面に固定し、その上に円筒状に巻いたポスターＰを収納した後、天面のフラップ５４及び５３を順次内側へ折り曲げ、フラップ５３の突合部に封緘テープを貼り付ける。
【先行技術文献】
【特許文献】
【０００６】
【特許文献１】特開２００５−４１５２８号公報
【発明の概要】
【発明が解決しようとする課題】
【０００７】
しかしながら、図９に示す包装箱で包装すると、箱の内部に無駄な空間が大きく生じ、天面のフラップが落ち込んでポスターが潰れたり、封緘テープが長手方向の中央部分で剥がれたりして、商品イメージが損なわれるおそれがあった。
【０００８】
そこで、この発明は、小型の商品と長尺物とを効率よく収納して確実に保護することができ、商品イメージを高められるようにすることを課題とする。
【課題を解決するための手段】
【０００９】
上記課題を解決するため、この発明に係る包装箱では、底壁から起立する側壁の上端に保持材を連設し、この保持材に、幅方向の中折線を入れ、保持材の中折線に臨む部分を先端側へ切り抜いて、商品挿入口を形成し、保持材の中折線より基端側を載置板とすると共に、先端側を抑制板とし、載置板を側壁との境界から斜め下方へ折り曲げ、抑制板を中折線に沿って上方へ折り返し、載置板に載せて商品挿入口に挿入した商品を、抑制板により上方から抑えて保持するようにし、保持材の下方にも収納空間を確保したのである。
【００１０】
また、前記保持材に、中折線より先端側に位置して中折線に並行する先折線を入れ、抑制板の先折線より先端側を切替板部とし、切替板部から商品挿入口に向けて側止片を突設し、切替板部を先折線に沿って折り曲げた状態では、側止片が逃がされて商品挿入口が広幅状態となり、切替板部を折り曲げない状態では、側止片で規制されて商品挿入口が狭幅状態となるようにしたのである。
【００１１】
さらに、前記保持材に、商品挿入口を横に並べて複数設けると共に、抑制板の切替板部を、商品挿入口に対応して、切目を介し複数設けたのである。
【００１２】
また、前記保持材に、載置板から抑制板への切込により、抑制板の折り返しに伴い、載置板から商品挿入口の下方へ突出する支持片を設けたのである。
【発明の効果】
【００１３】
この発明に係る包装箱では、緩衝シート等の包装材料を別途使用することなく、ディスク媒体等の商品を確実に保持して緩衝することができ、保持材の下方にポスター等の長尺物を収納できるので、箱内空間を効率よく使用して、外形寸法をコンパクトなものとすることができ、包装の質感も向上し、商品イメージを高めることができる。
【００１４】
また、保持材の切替板部を折り曲げるか否か選択することにより、寸法の異なる商品をそれぞれ確実に保持できる。
【００１５】
また、商品挿入口及び切替板部を複数設けることにより、寸法の異なる商品を混在させて包装することもできる。
【００１６】
さらに、載置板から商品挿入口の下方へ突出する支持片を設けると、商品挿入口に挿入した商品の安定性を向上させることができる。
【図面の簡単な説明】
【００１７】
【図１】この発明の第１実施形態に係る包装箱のブランクを示す図
【図２】同上の包装時の開蓋状態を示す斜視図
【図３】同上の包装時の閉蓋状態を示す斜視図
【図４】図３のIV−IV線に沿った断面図
【図５】図３のＶ−Ｖ線に沿った断面図
【図６】同上の保持材の跳上状態を示す斜視図
【図７】この発明の第２実施形態に係る包装箱のブランクを示す図
【図８】同上の包装時の開蓋状態を示す斜視図
【図９】従来の包装箱の包装時の開蓋状態を示す斜視図
【発明を実施するための形態】
【００１８】
まず、この発明の第１実施形態を図１乃至図６に基づいて説明する。
【００１９】
この包装箱は、図１に示す段ボール製のブランクから形成される。このブランクでは、底壁１の前後端にそれぞれ側壁２，３が連設され、底壁１の両側端に端板４が連設されている。側壁２，３の先端には、それぞれ保持材５及び蓋６が連設されている。
【００２０】
側壁２，３の両側端には、折曲片７が連設され、端板４の先端には蓋受片８が連設されている。各折曲片７の下側には噛合切込７ａが形成され、側壁３から延びる折曲片７の上側には、係合突起７ｂが設けられている。蓋受片８には、端板４との境界に沿って係合穴８ａが設けられている。
【００２１】
保持材５には、幅方向に延びる押罫と切目から成る中折線１１が入れられ、保持材５の中折線１１に臨む部分を先端側へ切り抜いて、商品挿入口１２が横に並べて２個形成されている。保持材５の中折線１１より基端側は、載置板１３とされ、中折線１１より先端側は、抑制板１４とされている。
【００２２】
また、保持材５には、中折線１１より先端側に位置して中折線１１に並行し、押罫と切目から成る先折線１５が入れられ、抑制板１４の先折線１５より先端側は、切替板部１６とされ、切替板部１６から商品挿入口に向けて側止片１７が突設されている。切替板部１６は、商品挿入口１２に対応して、切目を介し２個設けられている。
【００２３】
さらに、保持材５には、商品挿入口１２から先端側へ切り込むことにより、商品挿入口に連通する指入部１８が形成されると共に、載置板１３から突出する支持片１９が形成されている。
【００２４】
蓋６には、側壁３から延びる蓋板２０の前端に蓋前板２１が連設され、蓋板２０の両側端に蓋側板２２が連設されている。蓋前板２１の先端には、頂板２３及び重合板２４が順次連設され、蓋側板２２の前端には抱持片２５が、抱持片２５の内側には蓋重片２６がそれぞれ連設されている。
【００２５】
重合板２４の先端縁には、両側部に係合突起２４ａが設けられ、中央部に解体用の指掛凹部２４ｂが設けられている。蓋重片２６には、抱持片２５との境界に沿って係合穴２６ａが設けられている。
【００２６】
上記のようなブランクを組み立てて、図２乃至図５に示すように、ＤＶＤのパッケージである商品Ｄ１と、これより小さいＣＤのパッケージである商品Ｄ２と、円筒状に巻いたポスターＰとを包装する際には、底壁１から側壁２，３を起立させ、折曲片７の噛合切込７ａ同士を噛み合わせて、側壁２，３の起立状態を維持する。
【００２７】
また、蓋板２０から蓋側板２２を起立させ、抱持片２５を内側へ折り曲げつつ、蓋重片２６を蓋板２０に重ね、蓋前板２１を起立させ、頂板２３及び重合板２４を内側へ折り込んで、蓋前板２１と重合板２４との間に抱持片２５を挟み、係合突起２４ａを係合穴２６ａに係合させて、蓋６を保形する。
【００２８】
次に、ポスターＰを底壁１に置き、載置板１３を側壁２との境界から斜め下方へ折り曲げ、保持材５の下方に形成された収納空間にポスターＰを収納する。
【００２９】
そして、抑制板１４を中折線１１に沿って上方へ折り返し、一方の切替板部１６を先折線１５に沿って折り返すことにより、側止片１７を逃がして、広幅状態となった商品挿入口１２に商品Ｄ１を挿入し、他方の切替板部１６は折り曲げることなく、側止片１７で規制されて狭幅状態となった商品挿入口１２に商品Ｄ２を挿入する。
【００３０】
このとき、商品Ｄ１，Ｄ２は、載置板１３及び支持片１９により下方から支持され、抑制板１４により上方から抑えられて、箱内で飛び上がらないように保持されると共に、商品挿入口１２の側縁又は側止片１７により、側方への移動も阻止される。
【００３１】
その後、底壁１から端板４を起立させ、蓋受片８を内側へ折り曲げ、係合突起７ｂを係合穴８ａに係合させて、端板４の起立状態を維持し、図３乃至図５に示すように、蓋６を閉じると、包装が完了する。
【００３２】
一方、この包装箱から内容物を取り出す際には、図２に示すように、蓋６を開き、指入部１８に指を入れて、商品Ｄ１，Ｄ２を上方へ押すことにより、商品挿入口１２から容易に取り出すことができる。そして、図６に示すように、保持材５を跳ね上げると、ポスターＰを取り出すことができる。
【００３３】
上記のような包装箱では、緩衝シート等の包装材料を別途使用することなく、ディスク媒体の商品Ｄ１，Ｄ２を確実に保持して緩衝することができ、保持材５の下方に長尺のポスターＰを収納できるので、箱内空間を効率よく使用して、外形寸法をコンパクトなものとすることができ、包装の質感も向上し、商品イメージを高めることができる。
【００３４】
また、保持材５の切替板部１６を折り曲げるか否か選択することにより、寸法の異なる商品Ｄ１，Ｄ２をそれぞれ確実に保持できる。
【００３５】
また、商品挿入口１２及び切替板部１６を複数設けたので、寸法の異なる商品Ｄ１，Ｄ２を混在させて包装することができる。もちろん、切替板部１６の折曲状態を揃えることにより、商品Ｄ１，Ｄ２のいずれかを複数包装することもできる。
【００３６】
さらに、従来の包装箱のように、ブランクが横長にならないので、材料の段ボールを効率的に使用して、段ボールの使用量を削減することができる。
【００３７】
次に、この発明の第２実施形態を図７乃至図８に基づいて説明する。
【００３８】
この包装箱の上記第１実施形態との相違点は、蓋受片８に代えて、端板４の上端に順次連設した頂板９及び重合板１０を内側へ巻き込むように折り曲げ、端板４と重合板１０の間に折曲片７を挟み込み、重合板１０の先端の係合突起１０ａを、底壁１の係合穴１ａに係合させることにより、端板４の起立状態を維持することにある。
【００３９】
このように、端板４と重合板１０とで折曲片７を挟み込む額縁構造とすると、組立状態での剛性が向上するほか、蓋６を開いても、端板４が外側へ倒れることがない。
【００４０】
なお、上記各実施形態では、商品Ｄ１の商品挿入口１２への挿入に際し、一方の切替板部１６を側壁２の方向へ折り返すことにより、側止片１７を逃がして、商品挿入口１２を広幅状態としているが、この切替板部１６を側壁３の方向へ折り曲げて、側止片１７を逃がし、商品挿入口１２を広幅状態として、商品Ｄ１を商品挿入口１２へ挿入してもよい。
【符号の説明】
【００４１】
１  底壁
１ａ  係合穴
２，３  側壁
４  端板
５  保持材
６  蓋
７  折曲片
７ａ  噛合切込
７ｂ  係合突起
８  蓋受片
８ａ  係合穴
９  頂板
１０  重合板
１０ａ  係合突起
１１  中折線
１２  商品挿入口
１３  載置板
１４  抑制板
１５  先折線
１６  切替板部
１７  側止片
１８  指入部
１９  支持片
２０  蓋板
２１  蓋前板
２２  蓋側板
２３  頂板
２４  重合板
２４ａ  係合突起
２４ｂ  指掛凹部
２５  抱持片
２６  蓋重片
２６ａ  係合穴
Ｄ１，Ｄ２  商品
Ｐ  ポスター
【図１】
2011025965.tif 000003
【図２】
2011025965.tif 000004
【図３】
2011025965.tif 000005
【図４】
2011025965.tif 000006
【図５】
2011025965.tif 000007
【図６】
2011025965.tif 000008
【図７】
2011025965.tif 000009
【図８】
2011025965.tif 000010
【図９】
2011025965.tif 000011